(57)【特許請求の範囲】
【請求項１】
無線ＬＡＮ（Local Area Network）モジュールおよび前記無線ＬＡＮ以外の無線通信方式を採る少なくとも一つの無線モジュールを有する無線端末装置であって、
センシング端末によって収集されたＡＰ（Wireless LAN Access Point）の情報を一括管理する管理サーバによって作成され、地理的領域を複数の領域に分割したメッシュを一単位として、前記メッシュ毎に前記無線端末装置が接続可能なＡＰを示すリストを、管理サーバから取得する機能と、
前記リストに基づいて、接続可能なＡＰが存在するかどうかを判断する機能と、
前記判断の結果、接続可能な前記ＡＰが存在する場合は、前記無線ＬＡＮモジュールの電源をオンとする一方、接続可能な前記ＡＰが存在しない場合は、前記無線ＬＡＮモジュールの電源をオフとすると共に、次に前記無線ＬＡＮモジュールの電源をオンとするまでの時間を管理するタイマを設定する機能と、
前記無線端末装置の測位精度、移動速度、移動方向および前記ＡＰの場所に基づいて前記管理サーバが算出した参照値を取得する機能と、
前記取得した参照値を、バッテリ残量または前記管理サーバとの通信時の消費電力量に応じて補正する機能と、を備え、
前記タイマを設定する際に、前記補正後の参照値を用いて、前記無線ＬＡＮモジュールの電源をオフとする時間間隔を前記タイマに設定することで無線ＬＡＮモジュールの電源制御を行なうことを特徴とする無線端末装置。
【請求項２】
前記接続可能なＡＰが存在するかどうかを判断する機能では、前記リストに基づいて、前記無線端末装置の移動に従って受信電力が大きくなるＡＰを接続候補として認識する一方、前記無線端末装置の移動に従って受信電力が小さくなるＡＰを接続候補から除外することを特徴とする請求項１記載の無線端末装置。
【請求項３】
前記接続可能なＡＰが存在するかどうかを判断する機能では、前記リストに基づいて、前記無線端末装置の移動に従って物理的な距離が小さくなるＡＰを接続候補として認識する一方、前記無線端末装置の移動に従って物理的な距離が大きくなるＡＰを接続候補から除外することを特徴とする請求項１記載の無線端末装置。
【請求項４】
前記無線ＬＡＮ以外の無線通信方式を採る少なくとも一つの無線モジュールで前記リストを取得することを特徴とする請求項１記載の無線端末装置。
【請求項５】
前記判断の結果、接続可能な前記ＡＰが存在しない場合は、接続可能なＡＰが前記リストに出現するまでの期間、前記無線ＬＡＮモジュールの電源をオフとすることを特徴とする請求項１記載の無線端末装置。
【請求項６】
無線ＬＡＮ（Local Area Network）モジュールおよび前記無線ＬＡＮ以外の無線通信方式を採る少なくとも一つの無線モジュールを有する無線端末装置における前記無線ＬＡＮモジュールの電源制御プログラムであって、
センシング端末によって収集されたＡＰ（Wireless LAN Access Point）の情報を一括管理する管理サーバによって作成され、地理的領域を複数の領域に分割したメッシュを一単位として、前記メッシュ毎に前記無線端末装置が接続可能なＡＰを示すリストを、管理サーバから取得する処理と、
前記リストに基づいて、接続可能なＡＰが存在するかどうかを判断する処理と、
前記判断の結果、接続可能な前記ＡＰが存在する場合は、前記無線ＬＡＮモジュールの電源をオンとする一方、接続可能な前記ＡＰが存在しない場合は、前記無線ＬＡＮモジュールの電源をオフとすると共に、次に前記無線ＬＡＮモジュールの電源をオンとするまでの時間を管理するタイマを設定する処理と、
前記無線端末装置の測位精度、移動速度、移動方向および前記ＡＰの場所に基づいて前記管理サーバが算出した参照値を取得する処理と、
前記取得した参照値を、バッテリ残量または前記管理サーバとの通信時の消費電力量に応じて補正する処理と、の一連の処理をコンピュータに実行させ、
前記タイマを設定する際に、前記補正後の参照値を用いて、前記無線ＬＡＮモジュールの電源をオフとする時間間隔を前記タイマに設定することで無線ＬＡＮモジュールの電源制御を行なうことを特徴とする無線ＬＡＮモジュールの電源制御プログラム。
【請求項７】
前記接続可能なＡＰが存在するかどうかを判断する処理では、前記リストに基づいて、前記無線端末装置の移動に従って受信電力が大きくなるＡＰを接続候補として認識する一方、前記無線端末装置の移動に従って受信電力が小さくなるＡＰを接続候補から除外することを特徴とする請求項６記載の無線ＬＡＮモジュールの電源制御プログラム。
【請求項８】
前記接続可能なＡＰが存在するかどうかを判断する処理では、前記リストに基づいて、前記無線端末装置の移動に従って物理的な距離が小さくなるＡＰを接続候補として認識する一方、前記無線端末装置の移動に従って物理的な距離が大きくなるＡＰを接続候補から除外することを特徴とする請求項６記載の無線ＬＡＮモジュールの電源制御プログラム。
【請求項９】
前記無線ＬＡＮ以外の無線通信方式を採る少なくとも一つの無線モジュールで前記リストを取得することを特徴とする請求項６記載の無線ＬＡＮモジュールの電源制御プログラム。
【請求項１０】
前記判断の結果、接続可能な前記ＡＰが存在しない場合は、接続可能なＡＰが前記リストに出現するまでの期間、前記無線ＬＡＮモジュールの電源をオフとすることを特徴とする請求項６記載の無線ＬＡＮモジュールの電源制御プログラム。
【発明の詳細な説明】
【技術分野】
【０００１】
本発明は、無線ＬＡＮモジュールの電源を制御する技術に関する。
【背景技術】
【０００２】
無線端末装置に無線ＬＡＮ（Local Area Network）インタフェースを搭載することによって、セルラネットワークや広域無線ネットワークに比べて省電力かつ高速伝送が可能となる。しかし、無線ＬＡＮのＡＰ（Wireless LAN Access Point）がカバーする範囲は、３ＧやＷｉＭＡＸ（商標登録出願中）などに比べて限られたエリアである。そのため、無線端末装置は、常時無線ＬＡＮインタフェースを起動している場合であっても、無線ＬＡＮの利用可能な時間帯は限られており、電力を浪費してしまうという問題がある。
【０００３】
そこで、例えば、特許文献１では、無線移動端末の低消費電力化を実現すると共に、無線移動端末の利用者に対して無線ＬＡＮシステムの存在を通知する技術が開示されている。この技術では、無線移動端末は、無線ＬＡＮシステムと送受信可能な無線インタフェース、およびＰＨＳシステムと送受信可能な無線インタフェースとを備えている。そして、この無線移動端末は、加入者情報と検出情報とを無線ＬＡＮエリア通知サーバに送信する。無線ＬＡＮエリア通知サーバは、受信した加入者情報と検出情報とからＰＨＳ基地局と無線ＬＡＮシステムの設置場所とを関連付けて保持するデータベース等の構築を行なう。また、無線ＬＡＮエリア通知サーバは、無線基地局の通信可能範囲内に利用者が利用可能な無線ＬＡＮシステムが存在するとき、その無線ＬＡＮシステムの存在を利用者に対して通知する。
【０００４】
また、特許文献２では、複数の無線インタフェースを搭載した移動機が、位置情報を定期的に報告することなく、また無線インタフェース全てを常時起動状態にすることなく、適切な無線インタフェースを選択することで、適切に通信網への接続を継続することを目的としている。これを実現するため、別途、ローミング支援サーバを設置し、移動機が保有しない広範囲のエリア情報を移動機に提供する。移動機は位置情報と提供されたエリア情報に基づいて、利用可能な無線インタフェースのみを起動し、省電力化を実現する。なお、提供されたエリア情報に含まれないエリアに移動する場合には、ローミング支援サーバに改めてエリア情報要求信号を送出し、移動先のエリア情報を得る。ここで提供されるエリア情報は移動機の位置情報と移動速度からエリアの範囲を決定した上で決定される。
【先行技術文献】
【特許文献】
【０００５】
【特許文献１】特開２００５−０８６４５１号公報
【特許文献２】特開２００６−２５４０６３号公報
【発明の概要】
【発明が解決しようとする課題】
【０００６】
しかしながら、特許文献１記載の技術において、無線ＬＡＮシステムのカバレッジと、ＰＨＳシステムのカバレッジとは根本的に異なるため、ＰＨＳシステムのセルと無線ＬＡＮシステムのアクセスポイントとを対応付けようとしても、誤差を小さくすることは困難である。また、ＰＨＳシステムの圏外では、無線ＬＡＮシステムのアクセスポイントの場所が全く不明となってしまう。さらに、ＰＨＳシステムの圏外では、常に無線移動端末の無線ＬＡＮモジュールの電源をオンとしておかなければならず、低消費電力化は容易ではない。
【０００７】
また、特許文献２記載の技術では、移動機の移動速度が非常に大きい場合、提供するエリア情報が大規模となるため、エリア情報の提供に遅延が生じ、エリア情報が得られた時点ではすでに移動機が大幅に移動しまう。その結果、頻繁なエリア情報の要求が発生してする場合がある。
【０００８】
本発明は、このような事情に鑑みてなされたものであり、無線端末装置の現在位置に応じて、無線ＬＡＮモジュールの電源を制御することができる無線ＬＡＮモジュールの電源制御方法および無線ＬＡＮモジュールの電源制御プログラムを提供することを目的とする。
【課題を解決するための手段】
【０００９】
（１）上記の目的を達成するために、本発明は、以下のような手段を講じた。すなわち、本発明の無線ＬＡＮモジュールの電源制御方法は、無線ＬＡＮ（Local Area Network）モジュールおよび前記無線ＬＡＮ以外の無線通信方式を採る少なくとも一つの無線モジュールを有する無線端末装置における前記無線ＬＡＮモジュールの電源制御方法であって、地理的領域を複数の領域に分割したメッシュを一単位として、前記メッシュ毎に前記無線端末装置が接続可能なＡＰ（Wireless LAN Access Point）を示すリストを、管理サーバから取得するステップと、前記リストに基づいて、接続可能なＡＰが存在するかどうかを判断するステップと、前記判断の結果、接続可能な前記ＡＰが存在する場合は、前記無線ＬＡＮモジュールの電源をオンとする一方、接続可能な前記ＡＰが存在しない場合は、前記無線ＬＡＮモジュールの電源をオフとすることを特徴とする。
【００１０】
このように、地理的領域を複数の領域に分割したメッシュを一単位として、メッシュ毎に無線端末装置が接続可能なＡＰを示すリストを、管理サーバから取得するので、無線端末装置は、ＡＰの存在の有無を事前に把握することができるため、無線ＬＡＮモジュールの電源の制御を容易に行なうことが可能となる。その結果、消費電力を削減することが可能となる。
【００１１】
（２）また、本発明の無線ＬＡＮモジュールの電源制御方法において、前記接続可能なＡＰが存在するかどうかを判断するステップでは、前記リストに基づいて、前記無線端末装置の移動に従って受信電力が大きくなるＡＰを接続候補として認識する一方、前記無線端末装置の移動に従って受信電力が小さくなるＡＰを接続候補から除外することを特徴とする。
【００１２】
このように、リストに基づいて、無線端末装置の移動に従って受信電力が大きくなるＡＰを接続候補として認識する一方、無線端末装置の移動に従って受信電力が小さくなるＡＰを接続候補から除外するので、安定的に利用可能なＡＰを選択することが可能となる。その結果、無線端末装置の動線に従って、無線ＬＡＮモジュールを起動するタイミングを動的に制御することが可能となる。
【００１３】
（３）また、本発明の無線ＬＡＮモジュールの電源制御方法において、前記接続可能なＡＰが存在するかどうかを判断するステップでは、前記リストに基づいて、前記無線端末装置の移動に従って物理的な距離が小さくなるＡＰを接続候補として認識する一方、前記無線端末装置の移動に従って物理的な距離が大きくなるＡＰを接続候補から除外することを特徴とする。
【００１４】
このように、リストに基づいて、無線端末装置の移動に従って物理的な距離が小さくなるＡＰを接続候補として認識する一方、無線端末装置の移動に従って物理的な距離が大きくなるＡＰを接続候補から除外するので、安定的に利用可能なＡＰを選択することが可能となる。その結果、無線端末装置の動線に従って、無線ＬＡＮモジュールを起動するタイミングを動的に制御することが可能となる。
【００１５】
（４）また、本発明の無線ＬＡＮモジュールの電源制御方法において、前記無線ＬＡＮ以外の無線通信方式を採る少なくとも一つの無線モジュールで前記リストを取得することを特徴とする。
【００１６】
このように、無線ＬＡＮ以外の無線通信方式を採る少なくとも一つの無線モジュールでリストを取得するので、無線ＬＡＮモジュールがオンであっても、オフであっても、上記リストを取得することが可能となる。
【００１７】
（５）また、本発明の無線ＬＡＮモジュールの電源制御方法において、前記判断の結果、接続可能な前記ＡＰが存在しない場合は、接続可能なＡＰが前記リストに出現するまでの期間、前記無線ＬＡＮモジュールの電源をオフとすることを特徴とする。
【００１８】
このように、接続可能なＡＰが存在しない場合は、接続可能なＡＰがリストに出現するまでの期間、無線ＬＡＮモジュールの電源をオフとするので、状況の変化が発生するまで、すなわち、接続可能なＡＰが出現するまで、タイマを設定することが可能となる。その結果、無線ＬＡＮモジュールの不要な起動を回避することができ、省電力効果を向上させることが可能となる。
【００１９】
（６）また、本発明の無線ＬＡＮモジュールの電源制御方法において、前記無線端末装置の測位精度、移動速度、移動方向および前記ＡＰの場所に基づいて前記管理サーバが算出した参照値を取得するステップと、前記取得した参照値を、バッテリ残量または前記管理サーバとの通信時の消費電力量に応じて補正するステップと、前記補正後の参照値を用いて、前記無線ＬＡＮモジュールの電源をオフとする時間間隔をタイマに設定するステップと、を含むことを特徴とする。
【００２０】
このように、管理サーバから取得した参照値をバッテリ残量または前記管理サーバとの通信時の消費電力量に応じて補正し、補正後の参照値を用いて、無線ＬＡＮモジュールの電源をオフとする時間間隔をタイマに設定するので、無線端末装置の状況に応じた柔軟な電源制御を行なうことが可能となる。その結果、ユーザに対して、快適な通信環境を長時間提供することが可能となる。
【００２１】
（７）また、本発明の無線ＬＡＮモジュールの電源制御プログラムは、無線ＬＡＮ（Local Area Network）モジュールおよび前記無線ＬＡＮ以外の無線通信方式を採る少なくとも一つの無線モジュールを有する無線端末装置における前記無線ＬＡＮモジュールの電源制御プログラムであって、地理的領域を複数の領域に分割したメッシュを一単位として、前記メッシュ毎に前記無線端末装置が接続可能なＡＰ（Wireless LAN Access Point）を示すリストを、管理サーバから取得する処理と、前記リストに基づいて、接続可能なＡＰが存在するかどうかを判断する処理と、前記判断の結果、接続可能な前記ＡＰが存在する場合は、前記無線ＬＡＮモジュールの電源をオンとする一方、接続可能な前記ＡＰが存在しない場合は、前記無線ＬＡＮモジュールの電源をオフとする処理と、の一連の処理をコンピュータに実行させることを特徴とする。
【００２２】
このように、地理的領域を複数の領域に分割したメッシュを一単位として、メッシュ毎に無線端末装置が接続可能なＡＰを示すリストを、管理サーバから取得するので、無線端末装置は、ＡＰの存在の有無を事前に把握することができるため、無線ＬＡＮモジュールの電源の制御を容易に行なうことが可能となる。その結果、消費電力を削減することが可能となる。
【００２３】
（８）また、本発明の無線ＬＡＮモジュールの電源制御プログラムにおいて、前記接続可能なＡＰが存在するかどうかを判断する処理では、前記リストに基づいて、前記無線端末装置の移動に従って受信電力が大きくなるＡＰを接続候補として認識する一方、前記無線端末装置の移動に従って受信電力が小さくなるＡＰを接続候補から除外することを特徴とする。
【００２４】
このように、リストに基づいて、無線端末装置の移動に従って受信電力が大きくなるＡＰを接続候補として認識する一方、無線端末装置の移動に従って受信電力が小さくなるＡＰを接続候補から除外するので、無線端末装置の動線に従って、無線ＬＡＮモジュールを起動するタイミングを動的に制御することが可能となる。
【００２５】
（９）また、本発明の無線ＬＡＮモジュールの電源制御プログラムにおいて、前記接続可能なＡＰが存在するかどうかを判断する処理では、前記リストに基づいて、前記無線端末装置の移動に従って物理的な距離が小さくなるＡＰを接続候補として認識する一方、前記無線端末装置の移動に従って物理的な距離が大きくなるＡＰを接続候補から除外することを特徴とする。
【００２６】
このように、リストに基づいて、無線端末装置の移動に従って物理的な距離が小さくなるＡＰを接続候補として認識する一方、無線端末装置の移動に従って物理的な距離が大きくなるＡＰを接続候補から除外するので、安定的に利用可能なＡＰを選択することが可能となる。その結果、無線端末装置の動線に従って、無線ＬＡＮモジュールを起動するタイミングを動的に制御することが可能となる。
【００２７】
（１０）また、本発明の無線ＬＡＮモジュールの電源制御プログラムにおいて、前記無線ＬＡＮ以外の無線通信方式を採る少なくとも一つの無線モジュールで前記リストを取得することを特徴とする。
【００２８】
このように、無線ＬＡＮ以外の無線通信方式を採る少なくとも一つの無線モジュールでリストを取得するので、無線ＬＡＮモジュールがオンであっても、オフであっても、上記リストを取得することが可能となる。
【００２９】
（１１）また、本発明の無線ＬＡＮモジュールの電源制御プログラムにおいて、前記判断の結果、接続可能な前記ＡＰが存在しない場合は、接続可能なＡＰが前記リストに出現するまでの期間、前記無線ＬＡＮモジュールの電源をオフとすることを特徴とする。
【００３０】
このように、接続可能なＡＰが存在しない場合は、接続可能なＡＰがリストに出現するまでの期間、無線ＬＡＮモジュールの電源をオフとするので、状況の変化が発生するまで、すなわち、接続可能なＡＰが出現するまで、タイマを設定することが可能となる。その結果、無線ＬＡＮモジュールの不要な起動を回避することができ、省電力効果を向上させることが可能となる。
【００３１】
（１２）また、本発明の無線ＬＡＮモジュールの電源制御プログラムにおいて、前記無線端末装置の測位精度、移動速度、移動方向および前記ＡＰの場所に基づいて前記管理サーバが算出した参照値を取得する処理と、前記取得した参照値を、バッテリ残量または前記管理サーバとの通信時の消費電力量に応じて補正する処理と、前記補正後の参照値を用いて、前記無線ＬＡＮモジュールの電源をオフとする時間間隔をタイマに設定する処理と、をさらに含むことを特徴とする。
【００３２】
このように、管理サーバから取得した参照値をバッテリ残量または前記管理サーバとの通信時の消費電力量に応じて補正し、補正後の参照値を用いて、無線ＬＡＮモジュールの電源をオフとする時間間隔をタイマに設定するので、無線端末装置の状況に応じた柔軟な電源制御を行なうことが可能となる。その結果、ユーザに対して、快適な通信環境を長時間提供することが可能となる。
【発明の効果】
【００３３】
本発明によれば、地理的領域を複数の領域に分割したメッシュを一単位として、メッシュ毎に無線端末装置が接続可能なＡＰを示すリストを、管理サーバから取得するので、無線端末装置は、ＡＰの存在の有無を事前に把握することができるため、無線ＬＡＮモジュールの電源の制御を容易に行なうことが可能となる。その結果、消費電力を削減することが可能となる。また、無線端末装置の状況に応じた柔軟な電源制御を行なうことが可能となる。その結果、ユーザに対して、快適な通信環境を長時間提供することが可能となる。
【図面の簡単な説明】
【００３４】
【図１】ＷｉＦｉシステムのＡＰの電波をセンシングおよび調査する概念を示す図である。
【図２】ＡＰリストを示す図である。
【図３】本実施形態に係る管理サーバ１６の管理領域をメッシュに分割した様子を示す図である。
【図４】本実施形態に係る移動機および管理サーバの動作を示すフローチャートである。
【図５】ＷｉＦｉモジュールの起動タイミング制御の概念を示す図である。
【図６】ＷｉＦｉモジュールの起動タイミング制御の概念を示す図である。
【図７】補正値の一例を示す図である。
【発明を実施するための形態】
【００３５】
以下、本発明の実施形態について図面を参照して説明する。本実施形態では、移動機（無線端末装置）の地理的な位置情報から利用可能なＡＰを算出し、無線ＬＡＮインタフェースを制御する。これにより、他のシステムへの依存性が低く、より高精度かつ効率的に無線ＬＡＮインタフェースを制御することが可能となる。さらに、移動機に提供する情報を利用可能なＡＰの問い合わせ間隔の参照値のみに限定することで、回線負荷や移動機の負荷を削減することが可能である。さらにサーバより提供された参照値に対して移動機側で補正を行うことにより、状況に応じて問い合わせ間隔を柔軟に制御することが可能となる。なお、本実施形態では、無線ＬＡＮの一形態として、「ＷｉＦｉ（登録商標）」を例にとって説明するが、本発明はこれに限定されるわけではない。
【００３６】
図１は、ＷｉＦｉシステムのＡＰ（Access Point、Wireless LAN Access Pointとも呼称する。）の電波をセンシングおよび調査する概念を示す図である。センシング端末１０ａおよび１０ｂは、周辺のＡＰに関する情報を収集し、管理サーバに登録する。無線端末装置と同一の構成を採っても良い。すなわち、センシング端末１０ａは、ＡＰ１の電波をセンシングし、ＡＰ１のＭＡＣ（Media Access Control ）アドレス、ＥＳＳＩＤ（Extended Service Set Identifier）、ＲＳＳＩ（Received Signal Strength Indicator）等の情報を取得する。取得した情報を、ＧＰＳ（Global Positioning System）情報、センシング端末１０ａのＩＤと共に、例えば、セルラーシステムの基地局１４を介して、管理サーバ１６に登録する。また、センシング端末１０ｂは、ＡＰ２、ＡＰ３の電波をセンシングし、ＡＰ２、ＡＰ３のＭＡＣアドレス、ＥＳＳＩＤ、ＲＳＳＩ等の情報を取得する。取得した情報を、ＧＰＳ情報、センシング端末１０ｂのＩＤと共に、ＷｉＦｉシステムを介して、管理サーバ１６に登録する。
【００３７】
管理サーバ１６は、各ＡＰから取得した情報を一括して管理する。無線端末装置からの位置情報の報告を受け付け、当該箇所で利用可能なＡＰのリストを作成し、無線端末装置に通知する。また、センシング端末１０ａおよび１０ｂからＡＰに関する情報を受信し、管理およびＡＰの位置推定を実行する。すなわち、センシング端末１０ａおよび１０ｂから取得した情報を蓄積し、「どこで（場所）」、「どのＡＰの電波を受信したか」について、データベースを構築する。例えば、図２に示すように、ＡＰのＩＤ番号と、センシング端末の座標と、センシング端末で観測された電波の受信強度（ＲＳＳＩ）とから構成されるＡＰデータベースを構築する。そして、無線端末装置としての移動機が、このＡＰデータベースに基づいて作成されたリストを取得し、接続可能なＡＰを把握する。
【００３８】
本実施形態では、無線端末装置の位置情報に含まれる誤差を考慮し、管理サーバ１６において、一定の広がりをもった範囲（以下、「メッシュ」と呼称する。）において該当ＡＰが利用可能であるとする。ここで、メッシュとしては、緯度経度情報の有効桁数を限定した形式でも良く、○○県○○市○○xx-yy-zzなどの住所表記を用いても良い。従って、必ずしも矩形である必要は無く、センシング端末における位置情報の粒度などを考慮して多角形であっても良い。管理サーバではセンシング端末から受信した情報からセンシング端末と各ＡＰとの距離を算出し、これらを統合することでＡＰの位置を推定、情報を保存する。
【００３９】
図３は、本実施形態に係る管理サーバ１６の管理領域をメッシュに分割した様子を示す図である。図３に示すように、メッシュＡには、ＡＰ１、２、３が存在する。メッシュＢには、ＡＰ２、３が存在する。メッシュＣには、ＡＰは存在しない。メッシュＤには、ＡＰ３が存在する。移動機３０は、メッシュＣにいることを、座標（ｘ１，ｙ１，ｚ１）を用いて管理サーバ１６に報告する。管理サーバ１６は、メッシュＣにはＡＰは存在しないため、それを示す情報（ＡＰリスト）として、ＡＰ＝｛ＮＵＬＬ｝を移動機３０に通知する。移動機３０は、管理サーバ１６からＡＰ＝｛ＮＵＬＬ｝という情報を取得したため、ＷｉＦｉモジュールの電源をオフとする。これにより、移動機３０の消費電力を低減させることが可能となる。次に、移動機３０がメッシュＤに移動したとする。移動機３０は、メッシュＤにいることを、座標（ｘ２，ｙ２，ｚ２）を用いて管理サーバ１６に報告する。管理サーバ１６は、メッシュＤにはＡＰ３が存在するため、それを示す情報（ＡＰリスト）として、ＡＰ＝｛３｝を移動機３０に通知する。移動機３０は、管理サーバ１６からＡＰ＝｛３｝という情報を取得したため、ＷｉＦｉモジュールの電源をオンとし、ＡＰ３に接続する。
【００４０】
図４は、本実施形態に係る移動機および管理サーバの動作を示すフローチャートである。まず、移動機がタイマをオンとする（ステップＳ０）。このタイマをオンとするタイミングは、別途定めるものとする。次に、移動機は、管理サーバに対して、利用可能なＡＰリストを要求し（ステップＳ１）、管理サーバからの応答待ち状態となる。本要求には、移動機の現在地の位置情報を記録する。一方、管理サーバでは、移動機からＡＰリスト要求を受信すると（ステップＳ２）、移動機からの要求に応じて、位置情報が所属するメッシュを計算し（ステップＳ３）、該当メッシュ内で利用可能なＡＰリストを作成する（ステップＳ４）。このＡＰは、上述したセンシング端末が当該メッシュで検出したＡＰである。次に、管理サーバは、該当メッシュ内のＡＰリストを移動機に送信して（ステップＳ５）、終了する（ステップＳ６）。
【００４１】
移動機は、管理サーバからの応答を待機し（ステップＳ７）、利用可能なＡＰリストを取得すると、利用可能なＡＰが存在するかどうかを判断する（ステップＳ８）。この判断の結果、利用可能なＡＰが存在する場合は、ＷｉＦｉモジュールをオンとして（ステップＳ９）、タイマを設定する（ステップＳ１１）。一方、ステップＳ８における判断の結果、利用可能なＡＰが存在しない場合は、ＷｉＦｉモジュールをオフとして（ステップＳ１０）、タイマを設定する（ステップＳ１１）。
【００４２】
以上のように、移動機から管理サーバへの問い合わせ自体は、既に接続中の無線インタフェースを介して実施されるため、新規の無線インタフェースを起動するための消費電力を最小限に抑えることが可能である。ただし、頻繁な問い合わせは回線への負荷及び管理サーバへの負荷となることも想定されるため、上記したタイマ値によって最適な間隔に制御する必要がある。
【００４３】
本実施形態では、移動機に対して、より安定して利用できるＡＰを提示する。このために、メッシュを更に四分割して、ＡＰの存在箇所を分類する。すなわち、サブメッシュ化である。そして、管理サーバは、ＡＰが存在するメッシュと、そのＡＰが存在するサブメッシュに隣接するメッシュに移動する場合に、ＡＰリストに掲載することとする。一方、ＡＰが存在するメッシュと、そのＡＰが存在するサブメッシュに隣接しないメッシュに移動する場合に、ＡＰリストに掲載しない。これにより、移動機が、接続可能なＡＰから離れて行く場合に確立される不安定な接続を回避することが可能となる。また、移動機が、接続可能なＡＰから離れて行く場合にＡＰリストに掲載されないことによって、ＷｉＦｉモジュールをオフにする際に設定するタイマの時間を長く設定することが可能となるので、省電力効果を高めることが可能となる。
【実施例１】
【００４４】
図５は、ＷｉＦｉモジュールの起動タイミング制御の概念を示す図である。図５は、メッシュが四分割され、サブメッシュでＡＰが分類されている。そして、サブメッシュの一つにＡＰ１が存在し、サブメッシュの他の一つにＡＰ２が存在する。移動機３０は、ＡＰ１とＡＰ２に割り当てられたＥＳＳＩＤにアクセス可能である。移動機３０が、ＡＰが存在するサブメッシュに隣接するメッシュに移動する場合は、ＡＰリストに掲載する。例えば、図５において、移動機３０が、紙面に向かって右矢印方向へ移動する場合、ＡＰ１が存在するサブメッシュに隣接するメッシュに移動することになるため、管理サーバは、ＡＰリストとして、ＡＰ＝｛１｝を移動機に通知する。また、移動先のメッシュでＡＰ２の電波が受信されたとしても、移動機３０はＡＰ２から離れて行くため、ＡＰリストにＡＰ２は掲載しない。
【００４５】
一方、図５において、移動機３０が、紙面に向かって左矢印方向へ移動する場合、ＡＰ２が存在するサブメッシュに隣接するメッシュに移動することになるため、管理サーバは、ＡＰリストとして、ＡＰ＝｛２｝を移動機に通知する。また、移動先のメッシュでＡＰ１の電波が受信されたとしても、移動機３０はＡＰ１から離れて行くため、ＡＰリストにＡＰ１は掲載しない。これにより、不安定な接続の確立を回避することが可能となる。
【実施例２】
【００４６】
移動機の動線上において、しばらくの間、ＷｉＦｉ（無線ＬＡＮ）が利用できないことが管理サーバで把握出来ている場合には、管理サーバにおいて、その継続時間を予測し、さらに補正係数を乗算した上で基準タイマ値とし、移動機に通知する。移動機では基準タイマ値に対してさらに補正係数を乗算することで実際のタイマ値とする。
【００４７】
図６は、ＷｉＦｉモジュールの起動タイミング制御の概念を示す図である。図６では、移動機の状況変化が発生するまでタイマを延長する様子を示している。移動機３０がメッシュＦに存在する場合に、ＡＰリストの問い合わせを行なうと、移動機３０の移動方向が、図６の紙面に向かって右矢印方向であるため、管理サーバは、ＡＰが存在するメッシュと、そのＡＰが存在するサブメッシュに隣接しないメッシュに移動するため、ＡＰリストに掲載しない。すなわち、管理サーバは、ＡＰ＝｛ＮＵＬＬ｝を移動機３０に通知する。ここで、移動機３０は、ＷｉＦｉモジュールの電源をオフとし、タイマを発火（オンに）する。図６中の※で示したように、次にアクセス可能なＡＰ３の配下に到達するまでの空白期間（単位：［ｋｍ］）、ＷｉＦｉモジュールをオフとする。ここで、基準タイマ値は、以下の数式で定めることが可能である。
（基準タイマ値）＝（空白期間）／（速度）×（補正係数）…（１）
【００４８】
ここで空白期間は、移動機より通知される移動方向に基づいて、現在地から次に移動機がＡＰリストを入手可能なメッシュに最初に進入するまでの物理的な距離である。なお、補正係数は移動機における測位誤差を考慮して設定される値である。例えばＧＰＳ（Global Positioning System）におけるＤＯＰ（Dilution Of Precision）値などに基づいて算出される。ＤＯＰ値は、ＧＰＳ衛星の配置を示す値であり、１〜５である場合には大きな支障は生じないが、１０以上であった場合には測位の精度は大幅に低下する。従って、定数としてＤＯＰ値の逆数を用いることで、移動機の測位精度が高い場合には、比較的長い基準タイマ値を通知する一方、測位精度が低い場合には、短い基準タイマ値を通知することによって、移動機に対して異なる時刻、場所での再測位を促す。
【００４９】
図６に示すように、管理サーバより受信した利用可能ＡＰリストが空であった場合、移動機は無線ＬＡＮインタフェースの電源をオフとする。この際には管理サーバより通知された基準タイマ値に基づいて、次式に従ってタイマ値を設定する。
（タイマ値）＝（基準タイマ値）×（補正係数）…（２）
補正係数としては、移動局におけるバッテリの残量を用いる。
（補正係数）＝（問い合わせに必要な消費電力量）／（バッテリ残量）…（３）
【００５０】
図７は、補正値の一例を示す図である。バッテリ残量に比べて、問い合わせに必要な消費電力量（放電する電気量）が小さい場合には、短い間隔で管理サーバに問い合わせを行うこととなり、より高精度な無線ＬＡＮインタフェース制御が可能となる。一方、元々バッテリ容量が小さい移動機やバッテリ残量が低下した移動機においては、相対的に問い合わせに必要な消費電力量が大きくなるため、タイマ値が大きく設定され、問い合わせに関する電力消費を軽減することが可能となる。また、補正係数については、移動機内での「無線ＬＡＮ優先モード」や「通常モード」、「広域無線システム優先モード」などの設定によっても変更が可能である。
【００５１】
以上のような本発明の特徴的な動作は、コンピュータにプログラムを実行させることによっても実現することが可能である。すなわち、本発明の無線ＬＡＮモジュールの電源制御プログラムは、無線ＬＡＮ（Local Area Network）モジュールおよび前記無線ＬＡＮ以外の無線通信方式を採る少なくとも一つの無線モジュールを有する無線端末装置における前記無線ＬＡＮモジュールの電源制御プログラムであって、地理的領域を複数の領域に分割したメッシュを一単位として、前記メッシュ毎に前記無線端末装置が接続可能なＡＰ（Wireless LAN Access Point）を示すリストを、管理サーバから取得する処理と、前記リストに基づいて、接続可能なＡＰが存在するかどうかを判断する処理と、前記判断の結果、接続可能な前記ＡＰが存在する場合は、前記無線ＬＡＮモジュールの電源をオンとする一方、接続可能な前記ＡＰが存在しない場合は、前記無線ＬＡＮモジュールの電源をオフとする処理と、の一連の処理をコンピュータに実行させる。
【００５２】
また、本発明の無線ＬＡＮモジュールの電源制御プログラムにおいて、前記接続可能なＡＰが存在するかどうかを判断する処理では、前記リストに基づいて、前記無線端末装置の移動に従って受信電力が大きくなるＡＰを接続候補として認識する一方、前記無線端末装置の移動に従って受信電力が小さくなるＡＰを接続候補から除外する。
【００５３】
また、本発明の無線ＬＡＮモジュールの電源制御プログラムにおいて、前記無線ＬＡＮ以外の無線通信方式を採る少なくとも一つの無線モジュールで前記リストを取得する。
【００５４】
また、本発明の無線ＬＡＮモジュールの電源制御プログラムにおいて、前記判断の結果、接続可能な前記ＡＰが存在しない場合は、接続可能なＡＰが前記リストに出現するまでの期間、前記無線ＬＡＮモジュールの電源をオフとする。
【００５５】
以上説明したように、本実施形態によれば、地理的領域を複数の領域に分割したメッシュを一単位として、メッシュ毎に移動機が接続可能なＡＰを示すリストを、管理サーバから取得するので、移動機は、ＡＰの存在の有無を事前に把握することができるため、ＷｉＦｉモジュールの電源の制御を容易に行なうことが可能となる。その結果、消費電力を削減することが可能となる。
【符号の説明】
【００５６】
１０ａ  センシング端末
１０ｂ  センシング端末
１４  基地局
１６  管理サーバ
３０  移動機
【図１】
0005710344.tif 000002
【図２】
0005710344.tif 000003
【図３】
0005710344.tif 000004
【図４】
0005710344.tif 000005
【図５】
0005710344.tif 000006
【図６】
0005710344.tif 000007
【図７】
0005710344.tif 000008